(57)【特許請求の範囲】
【請求項１】
汚水タンク内に貯められている汚水中の汚物を、凝集剤によってフロック化して、このフロックを水から分離するようにした汚水処理装置であって、
この汚水処理装置を、処理槽と、この処理槽内の底部に設けられて、上端が前記処理槽の中央に開口するとともに、下端が前記処理槽の下方への第１排出口となる第１受け枡と、前記処理槽の下部に開口して前記第１受け枡の周囲に汚水の渦流を形成しながら前記汚水タンクからの汚水を供給する汚水供給管と、前記第１受け枡の上方に配置した整流板と、この整流板の上方から前記処理槽の外部に導出されてこの処理槽内にて浄化された水を排出する第２排出口と、により構成したことを特徴とする汚水処理装置。
【請求項２】
汚水タンク内に貯められている汚水中の汚物を、凝集剤によってフロック化して、このフロックを水から分離するようにした汚水処理装置であって、
この汚水処理装置を、処理槽と、この処理槽内の底部に設けられて、上端が前記処理槽の中央に開口するとともに、下端が前記処理槽の下方への第１排出口となる第１受け枡と、前記処理槽の下部に開口して前記第１受け枡の周囲に汚水の渦流を形成しながら前記汚水タンクからの汚水を供給する汚水供給管と、前記第１受け枡の上方に配置した整流板と、下端が前記第１受け枡の上部開口を包み込みながら開口し、上端が前記処理槽の外部に導出される第３排出口となる第２受け枡と、前記処理槽に前記第３排出口とは別に設けられて、この処理槽内にて浄化された水を排出する第２排出口と、により構成したことを特徴とする汚水処理装置。
【請求項３】
前記整流板の中央に設けられて、下端が前記第１受け枡の上部開口内近傍に位置し、上端が上方に向けて開口する整流筒を設けたことを特徴とする請求項１または請求項２に記載の汚水処理装置。
【発明の詳細な説明】
【技術分野】
【０００１】
本発明は、汚水処理装置に関し、特に、クーリングタワー内の水、あるいは、鉄の焼き入れを行う水のように、常に循環させて使用する水の汚れを除去するための汚水処理装置に関するものである。
【背景技術】
【０００２】
例えば、大型空調機器においては、外部への、あるいは外部からの熱の移動を効率化するために、クーリングタワーにおいて流下させた水中に空気を通し、この冷却または潜熱を内在させた空気によって冷暖房を行うようにしている。このようなクーリングタワーにおいて使用されている水は、常に循環させて使用されるものであり、一定の槽内に貯め置かれるものである。
【０００３】
このようなクーリングタワーの水には、外気中のホコリが侵入して貯まってくるだけでなく、場合によっては「アオコ」が発生することがある。これらのホコリやアオコは定期的に除去しないと貯まる一方であり、水を汚染するだけでなく、配管の目詰まりを発生させて当該クーリングタワーの寿命をも縮めることになる。
【０００４】
また、金属の焼き入れに水が使用されることは一般的であるが、この水は、一定の焼き入れ槽内に貯め置かれるものであり、蒸発分を追加しながら使用されるものである。そうすると、この焼き入れ槽内には、金属の錆やホコリがどんどん貯まることになり、定期的な水の浄化が望まれる。しかしながら、大型の焼き入れ槽であればある程、水の交換や浄化は困難である。
【０００５】
汚水について見てみると、その浄化処理を行う装置としては、汚泥除去装置等として種々なものが提案されてきており、例えば特許文献１や２に示されたようなものがある。
【０００６】
特許文献１に示された「生物学的汚水処理装置」は、「下水・産業排水等の有機物及び窒素・リンの処理を行う生物学的汚水処理装置を提供すること」を目的としてなされたもので、図５に示すように、「固定化担体を用いる高速エアレーション沈殿池において、曝気部ＯＲＰ値を５０ｍＶ以上になる様にエアー供給量を制御し、硝化脱窒を同一槽内で行うことを特徴とする生物学的汚水処理装置である。用いる固定化担体としては、高炉水砕スラグ微粉が好ましい。又、塩化鉄・ポリ鉄・ＰＡＣ等の凝集剤を槽内に添加することにより、リンの除去も行える」といった構成を有するものである。
【０００７】
特許文献２に示された「汚水処理装置」は、「凝集攪拌、沈降、沈降分離、圧密脱水、処理水の排水を単一の装置で行うことができる汚水処理装置を提供すること」を目的としてなされたもので、図６に示すように、「汚水処理槽の上部に処理水のオーバーフロー部を設け、下部に汚水と凝集剤とを噴出させるパイプを装着し、前記パイプの上方に、噴出した汚水と凝集剤とを衝突させ、ミキシングさせる衝突盤を設け、前記汚水処理槽の下部に凝集沈降した汚泥を脱水する逆円錐形状のスクリューオーガーを回転自在に装着したこと」といった構成を有するものである。
【特許文献１】特開平６−２２６２９２号公報、要約、代表図、段落００１２
【特許文献２】特開平７−２４２１８号公報、要約、代表図、段落０００６
【発明の開示】
【発明が解決しようとする課題】
【０００８】
上記特許文献１の処理装置では、同公報の段落００１２に記載されている通り、「流入水ペーハー調整タンク７０は、水槽１の底部に設けた流入口２から曝気部５内に流入し、空気ＡＯは散気装置３から曝気部５内に供給され、そして流入水は噴出する空気Ａ及び攪拌装置１２により曝気部５内を循環させられ、生物処理が施される」ものであり、「比較的比重の大きい汚泥が沈降分離される」ものである。
【０００９】
しかしながら、上記特許文献１の処理装置では、「攪拌装置１２により流入水が曝気部５内を循環させられる」ものであるため、静かに沈降させることができないものであると考えられる。つまり、汚水処理の結果発生するフロックを処理水から分離するためには、静かに沈降させなければならないのであるが、この特許文献１の装置では、フロックを含む水を別の箇所に導き、そのでフロックの沈降を行わなければならず、装置全体がどうしても大型化せざるを得ないものとなっている。
【００１０】
一方、特許文献２に記載された処理装置では、汚水処理の全体を一つの装置で行うことができるものではあるが、当該文献の段落０００６及び図６に記載されているように、「漏斗状部２には、線状体を螺旋漏斗状に巻回してなる逆円錐状スクリューオーガー３が回転自在に内装されている。凝集剤により分離したフロックは、このスクリューオーガー３によって下方に押圧されながら脱水されて、ゲートバルブ４から脱水ケーキとして放出される。ゲートバルブ４は、脱水ケーキが流出する孔の大きさを調整できるようになっており、スクリューオーガー３の回転数とゲートバルブ４の孔の大きさとを調整することにより、脱水ケーキの含水率を調整できる」ようになっている。
【００１１】
しかしながら、この特許文献２の処理装置でも、「凝集剤により分離したフロックは、このスクリューオーガー３によって下方に押圧されながら脱水されて、ゲートバルブ４から脱水ケーキとして放出される」ものであって、装置全体が大型化せざるを得ないだけでなく、重力沈降で、「（フロックが）スクリューオーガー３によって下方に押圧されながら脱水」されるためには相当な時間を要するのではないかと考えられる。
【００１２】
さらに重要なことは、水を使って凝集したフロックを沈降または浮上させる場合、このフロックの比重は如何に、ということである。つまり、上記各特許文献において「沈降」といっているからには、凝集したフロックは水よりも重いものであることを意味し、水に浮くようなフロックは考慮していないということになるが、汚水処理で出てくるフロックの比重は様々である。換言すれば、フロックは、水に浮くもの（比重が１以下）、水に沈むもの（比重が１以上）、そして凝集しても水中に浮遊するもの（比重が１程度）等色々あるが、これらの全てを処理しなければならないのである。
【００１３】
そこで、本発明者等は、様々な比重を有するフロックの収集を重力や浮力の他の力も利用しながら行って、全体を小型化できて、汚水処理を連続的、つまり短時間内で行えるようにするにはどうしたらよいか、について種々検討を重ねてきた結果、本発明を完成したのである。
【００１４】
すなわち、本発明の目的とするところは、全体を小型化できて汚水処理を連続的に行うことのできる汚水処理装置を簡単な構成によって提供することにある。
【課題を解決するための手段】
【００１５】
以上の課題を解決するために、まず、請求項１に係る発明の採った手段は、後述する最良形態の説明中で使用する符号を付して説明すると、
「汚水タンク６０内に貯められている汚水中の汚物を、凝集剤によってフロック化して、このフロックＦを水から分離するようにした汚水処理装置１００であって、
この汚水処理装置１００を、処理槽１００Ａと、この処理槽１００Ａ内の底部に設けられて、上端が処理槽１００Ａの中央に開口するとともに、下端が処理槽１００Ａの下方への第１排出口５１となる第１受け枡１０と、処理槽１００Ａの下部に開口して第１受け枡１０の周囲に汚水の渦流を形成しながら汚水タンク６０からの汚水を供給する汚水供給管３０と、第１受け枡１０の上方に配置した整流板４０と、この整流板４０の上方から処理槽１００Ａの外部に導出されてこの処理槽１００Ａ内にて浄化された水を排出する第２排出口５２と、により構成したことを特徴とする汚水処理装置１００」
である。
【００１６】
すなわち、この請求項１に係る汚水処理装置１００は、例えば図２に示したクーリングタワー２００（これが対象となっている汚水タンク６０である）からの汚水を処理槽１００Ａ内に取り込むにあたって、ペーハー調整タンク７０からのペーハー調整剤及び凝集剤タンク８０からの凝集剤を汚水中に適宜供給し、この汚水を処理槽１００Ａ内にて撹拌しながらフロックＦを形成することは、前述した特許文献１や２の装置と同様である。また、この汚水処理装置１００は、フロックＦが水よりも重くなるものを主たる対象としているものであり、従来処理装置と異なる点は次の通りである。
【００１７】
この請求項１の汚水処理装置１００では、図１に示すように、処理槽１００Ａ内の底部に設けられて、上端が処理槽１００Ａの中央に開口するとともに、下端が処理槽１００Ａの下方への第１排出口５１となる第１受け枡１０と、この第１受け枡１０の上方に配置した整流板４０とを有するものであり、汚水タンク６０からの汚水は、処理槽１００Ａの下部に開口している汚水供給管３０によって、渦流を形成しながら第１受け枡１０の周囲に供給されるようにしてある点が従来装置とは異なっているものである。
【００１８】
また、第１受け枡１０の処理槽１００Ａ内下部になる部分は、導出されている第１排出口５１に連なるものであるため、「漏斗」の根本のように細くしてあり、この細くなった部分に渦流となって供給されてきた汚水（当然ペーハー調整剤及び凝集剤が混入されている）が絡みつくように流れる。そして、この渦流が、図１中の矢印線にて示すように、順に上方に渦となって流れていく間に凝集剤による凝集反応が発生してフロックＦが形成されることになる。
【００１９】
この請求項１の汚水処理装置１００では、フロックＦが水よりも比重の大きいものを想定しているが、出来上がったフロックＦには、渦流によって処理槽１００Ａの周りを回転するような力が働いているから、各フロックＦは流体中の回転物体におけるのと同様に、第１受け枡１０の外壁に向かうような力が働くことになる。つまり、形成された比重が１よりも大きいフロックＦは、第１受け枡１０の外壁に沿って順に上昇していき、この第１受け枡１０の上部開口１１に至るのである。
【００２０】
第１受け枡１０の上部開口１１に至った各フロックＦは、比重が水よりも重いものであったから、その自重によって第１受け枡１０の底に向けて沈みここに貯められることになる。第１受け枡１０内に貯められたフロックＦは、当該第１受け枡１０の下端になっている第１排出口５１から水とともに抜き出されるものであり、この第１排出口５１から排出されたフロックＦを含む水については、フイルタープレス機、ベルトプレス機、遠心分離機等により脱水処理が施されて、フロックＦのみが取り出されるのである。
【００２１】
また、この汚水処理装置１００では、第１受け枡１０の上方には整流板４０が配置してあった。この整流板４０は、第１受け枡１０の上部開口１１より上方に、前述した渦流が発生しないようにするものであり、この整流板４０近傍にまで来た渦流の動きを止めるものである。このため、この整流板４０の上方には、フロックＦの存在しない清水のみが流れ込むことになり、この清水は、処理槽１００Ａの上部に設けた第２排出口５２から外部に排出されるのである。
【００２２】
この汚水処理装置１００を図２に示したようなクーリングタワー２００に適用した場合には、この清水を送り出す第２排出口５２は、クーリングタワー２００に付設してある水タンク２１０に接続されるものである。これにより、クーリングタワー２００の水タンク２１０内の水の処理がなされ、今まで存在していたアオコやホコリが取り除かれた清水が水タンク２１０内に再び貯められるのである。
【００２３】
以上の汚水処理は、常に連続して行われるのであり、フロックＦの沈降は、例えばクーリングタワー２００に付設してある水タンク２１０への清水の還流とともに行われ、処理時間が非常に短いものとなっているのである。何故なら、本発明に係る汚水処理装置１００では、重力による沈降に替えて、渦流を利用した第１受け枡１０の外壁側への言わば沈降を利用しているからであり、逆に言えば、当該汚水処理装置１００は起動している間はフロックＦの第１受け枡１０側への沈降が常になされている。
【００２４】
なお、この請求項１の汚水処理装置１００では、整流板４０より上方に遮蔽板４２を設けるようにしている。この遮蔽板４２は、その周囲と処理槽１００Ａの内壁との間に清水が流れ上がることができるようにする隙間を配置して処理槽１００Ａ内に設置されるものであり、整流板４０による渦流の静止化をより効果的にするものである。
【００２５】
そして、この汚水処理装置１００は、第１受け枡１０の周囲に汚水の渦流を発生させてフロックＦの沈降を行うようにしているので、特許文献１や２のような大型な装置とする必要は全くないのであり、全体の構成を小型化することができるのである。
【００２６】
従って、この請求項１の汚水処理装置１００は、全体を小型化できて汚水処理を連続的に行うことのできるものとなっているのである。
【００２７】
以上の課題を解決するために、請求項２に係る発明の採った手段は、後述する最良形態の説明中で使用する符号を付して説明すると、
「汚水タンク６０内に貯められている汚水中の汚物を、凝集剤によってフロック化して、このフロックを水から分離するようにした汚水処理装置１００であって、
この汚水処理装置１００を、処理槽１００Ａと、この処理槽１００Ａ内の底部に設けられて、上端が処理槽１００Ａの中央に開口するとともに、下端が処理槽１００Ａの下方への第１排出口５１となる第１受け枡１０と、処理槽１００Ａの下部に開口して第１受け枡１０の周囲に汚水の渦流を形成しながら汚水タンク６０からの汚水を供給する汚水供給管３０と、第１受け枡１０の上方に配置した整流板４０と、下端が第１受け枡１０の上部開口１１を包み込みながら開口し、上端が処理槽１００Ａの外部に導出される第３排出口５３となる第２受け枡２０と、処理槽１００Ａに第３排出口５３とは別に設けられて、この処理槽１００Ａ内にて浄化された水を排出する第２排出口５２と、により構成したことを特徴とする汚水処理装置１００」
である。
【００２８】
すなわち、この請求項２の汚水処理装置１００は、上記した請求項１に係るそれと大枠では同じであるが、この汚水処理装置１００では、比重が様々なフロックＦを効果的に取り除けるようにしたものであり、次の点で請求項１の汚水処理装置１００とは異なっているものである。この請求項２の汚水処理装置１００で、請求項１のそれと同じ部材を使用している部分については、図３中に同一符号を付してその説明を省略することとする。
【００２９】
この請求項２の汚水処理装置１００で、請求項１のそれと異なっている点は、図３に示すように、下端が第１受け枡１０の上部開口１１を包み込みながら開口し、上端が処理槽１００Ａの外部に導出される第３排出口５３となる「逆漏斗状」の第２受け枡２０を、第１受け枡１０の上方に設けたことである。
【００３０】
この第２受け枡２０は、図３中に示したように、整流板４０の上に浮き上がってきた比重が１よりも小さいフロックＦをその下端開口にて捕集するものであり、この捕集された軽いフロックＦは第２受け枡２０の上端に設けた第３排出口５３から外部に排出される。勿論、比重が１程度以下の重いフロックＦは第１受け枡１０によって捕集されてその下端の第１排出口５１から外部に排出されることは、前述した請求項１の汚水処理装置１００の場合と同様である。
【００３１】
従って、この請求項２の汚水処理装置１００も、全体を小型化できて汚水処理を連続的に行うことのできるものとなっているのである。
【００３２】
さらに、上記課題を解決するために、請求項３に係る発明の採った手段は、上記請求項１または請求項２に記載の汚水処理装置１００について、
「整流板４０の中央に設けられて、下端４１ａが第１受け枡１０の上部開口１１内近傍に位置し、上端４１ｂが上方に向けて開口する整流筒４１を設けたこと」
である。
【００３３】
すなわち、この請求項３の汚水処理装置１００は、図３に示すように、第１受け枡１０の上方に位置する整流板４０に整流筒４１を設けたものである。この整流筒４１は、その下端４１ａが第１受け枡１０の上部開口１１内近傍に位置し、上端４１ｂが上方に向けて開口するものであるが、その役割は、渦流の抑制をさらに向上させることと、重いフロックＦと軽いフロックＦとの振り分けである。
【００３４】
この整流筒４１が整流板４０の中央に存在していれば、整流板４０の近傍に消されていない僅かな渦流を、この整流筒４１による邪魔と整流板４０の本来の役割との共同作用によって、完全に消滅させるのである。また、この整流筒４１は、図３に示したように、下端４１ａ及び上端４１ｂにて開口する文字通りの「筒」であるから、僅かな渦流に巻き込まれて浮き上がってきた重いフロックＦをこの整流筒４１内に導いて第１受け枡１０側に送り出すのである。勿論、この整流筒４１によって捕集されなかった軽いフロックＦは、上方にある第２受け枡２０によって捕集されることは言うまでもない。
【００３５】
勿論、この整流筒４１は、図１に示した請求項１の汚水処理装置１００にも適用できるものであり、その場合には、図１中に示した整流板４０の中央にこの整流筒４１を取り付けるようにすればよい。
【００３６】
従って、この請求項３の汚水処理装置１００は、上記請求項１または請求項２のそれと同様な機能を発揮する他、渦流をより一層鎮めることができて、フロックＦの捕集をより一層高めることができるものとなっているのである。
【発明の効果】
【００３７】
以上、詳述した通り、本発明においては、
「汚水タンク６０内に貯められている汚水中の汚物を、凝集剤によってフロック化して、このフロックＦを水から分離するようにした汚水処理装置１００であって、
この汚水処理装置１００を、処理槽１００Ａと、この処理槽１００Ａ内の底部に設けられて、上端が処理槽１００Ａの中央に開口するとともに、下端が処理槽１００Ａの下方への第１排出口５１となる第１受け枡１０と、処理槽１００Ａの下部に開口して第１受け枡１０の周囲に汚水の渦流を形成しながら汚水タンク６０からの汚水を供給する汚水供給管３０と、第１受け枡１０の上方に配置した整流板４０と、この整流板４０の上方から処理槽１００Ａの外部に導出されてこの処理槽１００Ａ内にて浄化された水を排出する第２排出口５２と、により構成したこと」
にその構成上の主たる特徴があり、これにより、全体を小型化できて汚水処理を連続的に行うことのできる汚水処理装置１００を簡単な構成によって提供することができるのである。
【発明を実施するための最良の形態】
【００３８】
次に、以上のように構成した各請求項に係る発明を、図面に示した最良の形態である汚水処理装置１００について説明すると、図１及び図２には、第１実施例に係る汚水処理装置１００が、図３及び図４には、第２実施例に係る汚水処理装置１００が、それぞれ示してある。
【実施例１】
【００３９】
図１には、請求項１に係る汚水処理装置１００の概略構成を示す縦断面図が示してあり、この汚水処理装置１００は、汚水タンク６０内に貯められている汚水中の汚物を、凝集剤によってフロック化して、このフロックＦを水から分離するものであって、例えば図２に示したクーリングタワー２００等に適宜接続して使用されるものである。このクーリングタワー２００が有している水タンク２１０内には、冷却水が貯めておかれるものであり、この水タンク２１０が本発明で述べている汚水タンク６０に該当する。
【００４０】
そして、この汚水処理装置１００は、処理槽１００Ａと、この処理槽１００Ａ内の底部に設けられて、上端が処理槽１００Ａの中央に開口するとともに、下端が処理槽１００Ａの下方への第１排出口５１となる第１受け枡１０と、処理槽１００Ａの下部に開口して第１受け枡１０の周囲に汚水の渦流を形成しながら汚水タンク６０からの汚水を供給する汚水供給管３０と、第１受け枡１０の上方に配置した整流板４０と、この整流板４０の上方から処理槽１００Ａの外部に導出されてこの処理槽１００Ａ内にて浄化された水を排出する第２排出口５２とにより構成されている。
【００４１】
処理槽１００Ａは、図１及び図３に示したように、図６に示した従来技術におけるような下窄まり形状のものではなく、例えばクーリングタワー２００が設置してある屋上に載置できるように、下面が平らなものとしてある。また、この処理槽１００Ａの下部には、汚水タンク６０からの汚水を供給する汚水供給管３０が接続してあり、この汚水供給管３０の噴射口３１は処理槽１００Ａの内壁に沿って汚水を噴射できるようにするために、第１受け枡１０の中心とは異なる方向に開口させてある。
【００４２】
この処理槽１００Ａ内下部に収納した第１受け枡１０は、言わば漏斗状に形成した筒体であり、その上部開口１１は上方に向けて開放されている。この処理槽１００Ａの上方には、複数の板材を放射状に組み合わせた整流板４０が配置してあり、この整流板４０は、これから上に流れる水中の渦流を消し去るものである。なお、図１に示した最良形態では、この整流板４０の上に更に整流筒４１を配置するようにしており、この整流筒４１の周囲と処理槽１００Ａとの間には水が流れ上がることができるような隙間が形成してある。
【００４３】
勿論、この汚水処理装置１００に対して送り込まれる汚水中には、ペーハー調整剤や凝集剤が混入されるのであり、そのためのペーハー調整タンク７０がポンプ７１を介して、また凝集剤タンク８０がポンプ８１を介して上述した汚水供給管３０に接続してある。また、本実施例では、フロックＦの所謂「加圧浮上」ができるようにするために、汚水供給管３０の一部にエア供給管９０が接続してあって、このエア供給管９０から処理槽１００Ａ内に、空気の導入が汚水の導入とともに行えるようにしてある。
【実施例２】
【００４４】
図３及び図４には、本発明の第２実施例である汚水処理装置１００が示してあるが、この汚水処理装置１００は、図４に示したような焼き入れ工場に置かれているような汚水タンク６０に付設して使用するものであり、この実施例２の汚水処理装置１００は、水に浮くフロックＦや沈むフロックＦをも対象とするものである。
【００４５】
この図３に示した汚水処理装置１００は、その大部分は図１に示したそれと同様であり、その両図に共通する部材については、同一符号を付してその説明を省略する。この図３に示した汚水処理装置１００の、図１に示したそれと異なる点は、図３に示したように、下端が第１受け枡１０の上部開口１１を包み込みながら開口し、上端が処理槽１００Ａの外部に導出される第３排出口５３となる「逆漏斗状」の第２受け枡２０を、第１受け枡１０の上方に設けたことである。
【００４６】
この第２受け枡２０は、図３中に示したように、整流板４０の上に浮き上がってきた比重が１よりも小さいフロックＦをその下端開口にて捕集するものであり、この捕集された軽いフロックＦを第２受け枡２０の上端に設けた第３排出口５３から外部に排出するものである。勿論、比重が１程度以下の重いフロックＦは第１受け枡１０によって捕集されてその下端の第１排出口５１から外部に排出されることは、前述した実施例１の汚水処理装置１００と同様である。
【００４７】
また、この実施例２の汚水処理装置１００では、図３に示したように、第１受け枡１０の上方に位置する整流板４０に整流筒４１が設けてある。この整流筒４１は、その下端４１ａが第１受け枡１０の上部開口１１内近傍に位置し、上端４１ｂが上方に向けて開口するものであるが、その役割は、渦流の抑制をさらに向上させることと、重いフロックＦと軽いフロックＦとの振り分けである。
【００４８】
つまり、この整流筒４１が整流板４０の中央に存在していれば、整流板４０の近傍に消されていない僅かな渦流を、この整流筒４１による邪魔と整流板４０の本来の役割との共同作用によって、完全に消滅させるのである。また、この整流筒４１は、図３に示したように、下端４１ａ及び上端４１ｂにて開口する文字通りの「筒」であるから、僅かな渦流に巻き込まれて浮き上がってきた重いフロックＦをこの整流筒４１内に導いて第１受け枡１０側に送り出すのである。勿論、この整流筒４１によって捕集されなかった軽いフロックＦは、上方にある第２受け枡２０によって捕集されることは言うまでもない。
【００４９】
そして、この整流筒４１は、図１に示した実施例１の汚水処理装置１００にも適用できるものであり、その場合には、図１中に示した整流板４０の中央にこの整流筒４１を取り付けるようにすればよい。
【産業上の利用可能性】
【００５０】
本発明に係る汚水処理装置１００は、屋上に設置してあるクーリングタワー２００や、工場内にある焼き入れ槽をそのままの位置に置いておき、その近傍に運び込んで使用すればよいものであり、クーリングタワー２００等のメンテナンスをより一層短時間で効率的に行えるものである。従って、メンテナンス作業者の負担を軽減することもできるのである。
【図面の簡単な説明】
【００５１】
【図１】本発明の実施例１に係る汚水処理装置の概略断面図である。
【図２】同汚水処理装置が適用されるクーリングタワーの概略断面図である。
【図３】本発明の実施例に係る汚水処理装置の概略断面図である。
【図４】同汚水処理装置が適用される汚水タンク及び周辺の概略断面図である。
【図５】従来の技術を示す部分拡大断面図である。
【図６】従来の他の技術を示す断面図である。
【符号の説明】
【００５２】
１００    汚水処理装置
１００Ａ  処理槽
１０    第１受け枡
１１    上部開口
２０    第２受け枡
３０    汚水供給管
３１    噴射口
３２    ポンプ
４０    整流板
４１    整流筒
４１ａ  下端
４１ｂ  上端
４２    遮蔽板
５１    第１排出口
５２    第２排出口
５３    第３排出口
６０    汚水タンク
７０    ペーハー調整タンク
７１    ポンプ
８０    凝集剤タンク
８１    ポンプ
９０    エア供給管
２００    クーリングタワー
２１０    水タンク
【図１】
0004585439.tif 000002
【図２】
0004585439.tif 000003
【図３】
0004585439.tif 000004
【図４】
0004585439.tif 000005
【図５】
0004585439.tif 000006
【図６】
0004585439.tif 000007